(57)【要約】【課題】容易に組立を行うことができる水槽を提供すること。【解決手段】水槽１は、平面視多角形状の底板２と、底板２の各辺縁部上に載置された複数の透明な側板３と、底板２の各コーナー部に配置された複数の支柱４と、を備える。支柱４は、互いに隣接する２つの側板３、３の両側端部3a、3aを保持する柱部4aと、底板２を下方から受ける受け面4hを有する台座部4gとが一体形成されたものである。底板２の下面2gの各コーナー部には下方突出状の嵌合凸部2dが設けられている。支柱４の台座部4gの受け面4hには上方に開口した嵌合凹部4iが設けられている。そして、嵌合凸部2dが嵌合凹部4iに嵌合されるとともに底板２の下面2gのコーナー部が台座部4gの受け面4h上に当接して載置されている。【選択図】図７
2010213636.tif 000002
【特許請求の範囲】
【請求項１】
平面視多角形状の底板と、前記底板の各辺縁部上に載置された複数の透明な側板と、前記底板の各コーナー部に配置された複数の支柱と、を備え、
前記支柱は、互いに隣接する２つの前記側板の両側端部を保持する柱部と、前記底板を下方から受ける受け面を有する台座部とが一体形成されたものであり、
前記底板の下面の各コーナー部に下方突出状の嵌合凸部が設けられる一方、前記支柱の台座部の受け面に前記嵌合凸部に対応する上方に開口した嵌合凹部が設けられ、
前記嵌合凸部が前記嵌合凹部に嵌合されるとともに前記底板の下面のコーナー部が前記台座部の受け面上に当接して載置されていることを特徴とする水槽。
【請求項２】
前記底板は平面視方形状に形成されており、
前記支柱の柱部の周面の一部に、前記台座部の受け面から前記柱部の上端部まで延びた凹入部が形成されるとともに、前記柱部の断面形状が略Ｌ字状に形成されており、
前記２つの側板間の角度が互いに直角になるように該両側板の両側端部が前記凹入部内に配置された状態で、該両側端部が前記柱部に保持されるとともに、前記柱部の周面における前記凹入部とは反対側に互いに直角をなして形成された２つの外側面の一方及び他方が、それぞれ前記２つの側板の外側面の一方及び他方と平行に配置されている請求項１記載の水槽。
【請求項３】
前記支柱の柱部の上端に、前記２つの側板の両側端部が上方へずれるのを阻止するずれ止め片部が、両側端部間の隙間の上端開口を上方から覆うように両側端部の上方に配置されて一体形成されている請求項１又は２記載の水槽。
【請求項４】
前記複数の側板のうち少なくとも一つの側板における横の長さと縦の長さの比が１６：９に設定されている請求項１〜３のいずれかに記載の水槽。
【発明の詳細な説明】
【技術分野】
【０００１】
本発明は、熱帯魚等の水生生物の鑑賞や飼育などに使用される水槽に関する。
【背景技術】
【０００２】
従来、この種の水槽として、例えば特開２００２−１１５号公報（特許文献１）は、平面視四角形状の底板の各辺縁部に４つの透明な側板を組み付けて上面開放の直方体を構成し、その内側コーナー部にシリコーン樹脂等の接着性シール剤を液密に充填した水槽を開示している。
【０００３】
また、特開２００５−２７８５６３号公報（特許文献２）及び特開２００６−２６２７６０号公報（特許文献３）は、底板の各コーナー部から迫り出した位置に支柱用台座が一体に設けられるとともに、互いに隣接する２つの側板の両側端部を保持する支柱が台座に立設された水槽を開示している。
【先行技術文献】
【特許文献】
【０００４】
【特許文献１】特開２００２−１１５号公報
【特許文献２】特開２００５−２７８５６３号公報
【特許文献３】特開２００６−２６２７６０号公報
【発明の概要】
【発明が解決しようとする課題】
【０００５】
しかしながら、上記従来の水槽では、各側板と支柱と台座とが互いに別体に形成されていたので、これらを組み付ける際に、台座に立設された支柱が台座に対してぐらつき易く、水槽の組立作業が面倒であった。
【０００６】
本発明は、上述した技術背景に鑑みてなされたもので、その目的は、容易に組立を行うことができる水槽を提供することにある。
【課題を解決するための手段】
【０００７】
本発明は以下の手段を提供する。
【０００８】
［１］  平面視多角形状の底板と、前記底板の各辺縁部上に載置された複数の透明な側板と、前記底板の各コーナー部に配置された複数の支柱と、を備え、
前記支柱は、互いに隣接する２つの前記側板の両側端部を保持する柱部と、前記底板を下方から受ける受け面を有する台座部とが一体形成されたものであり、
前記底板の下面の各コーナー部に下方突出状の嵌合凸部が設けられる一方、前記支柱の台座部の受け面に前記嵌合凸部に対応する上方に開口した嵌合凹部が設けられ、
前記嵌合凸部が前記嵌合凹部に嵌合されるとともに前記底板の下面のコーナー部が前記台座部の受け面上に当接して載置されていることを特徴とする水槽。
【０００９】
［２］  前記底板は平面視方形状に形成されており、
前記支柱の柱部の周面の一部に、前記台座部の受け面から前記柱部の上端部まで延びた凹入部が形成されるとともに、前記柱部の断面形状が略Ｌ字状に形成されており、
前記２つの側板間の角度が互いに直角になるように該両側板の両側端部が前記凹入部内に配置された状態で、該両側端部が前記柱部に保持されるとともに、前記柱部の周面における前記凹入部とは反対側に互いに直角をなして形成された２つの外側面の一方及び他方が、それぞれ前記２つの側板の外側面の一方及び他方と平行に配置されている前項１記載の水槽。
【００１０】
［３］  前記支柱の柱部の上端に、前記２つの側板の両側端部が上方へずれるのを阻止するずれ止め片部が、両側端部間の隙間の上端開口を上方から覆うように両側端部の上方に配置されて一体形成されている前項１又は２記載の水槽。
【００１１】
［４］  前記複数の側板のうち少なくとも一つの側板における横の長さと縦の長さの比が１６：９に設定されている前項１〜３のいずれかに記載の水槽。
【発明の効果】
【００１２】
本発明は以下の効果を奏する。
【００１３】
［１］の発明では、支柱は柱部と台座部とが一体形成されたものであるから、水槽の組立途中において、柱部が台座部に対してぐらつくことはないし、更に、嵌合凸部が嵌合凹部に嵌合されることにより、支柱の底板に対する位置ずれを防止することができ、しかも、底板の下面のコーナー部が台座部の受け面上に当接して載置されることにより、台座部の受け面が底板の重量を受け、これにより支柱が安定して自立するものとなる。このように、支柱が安定して自立するとともに支柱の柱部のぐらつきと支柱の位置ずれとが防止されるので、水槽の組立を容易に行うことができる。
【００１４】
［２］の発明では、支柱の柱部の断面形状が略Ｌ字状に形成されるとともに、柱部の２つの外側面の一方及び他方がそれぞれ２つの側板の外側面の一方及び他方と平行に配置されているので、底板が平面視方形状に形成されているいわゆる四角型水槽についてスッキリした印象を看者に与えることができ、高い意匠性を有するものとなる。
【００１５】
［３］の発明では、ずれ止め片部によって２つの側板の両側端部の上方へのずれを阻止することができ、これにより、水槽の組立を更に容易に行うことができる。しかも、このすれ止め片部は支柱の柱部の上端に一体形成されたものなので、水槽の部品点数が増加せず、水槽の組立工程数が増えることもない。
【００１６】
その上、両側端部間の隙間の上端開口がこのずれ止め片部によって上方から覆われることで、両側端部同士を液密に接着する接着性シール剤のはみ出しが防止されるので、水槽の外観を向上させることができる。
【００１７】
［４］の発明では、側板における横の長さと縦の長さの比が１６：９に設定されているので、この側板を水槽の前面にして水槽を設置しこの側板から水槽内部を鑑賞する場合、あたかもワイドテレビの画像を見ているような印象を看者に与えることができる。
【図面の簡単な説明】
【００１８】
【図１】図１は、本発明の一実施形態に係る水槽の全体斜視図である。
【図２】図２は、同水槽の平面図である。
【図３】図３は、同水槽の底面図である。
【図４】図４は、図２中のＸ−Ｘ線断面図である。
【図５】図５は、同水槽の分解斜視図である。
【図６】図６は、同水槽の底板の下面のコーナー部と支柱の台座部とを示す斜視図である。
【図７】図７は、同水槽の２つの側板と底板の上面のコーナー部と支柱の台座部とを水槽の内側から見た状態で示す分解斜視図である。
【図８】図８は、同水槽の２つの側板と底板の上面のコーナー部と支柱の台座部とを水槽の外側から見た状態で示す分解斜視図である。
【図９】図９は、同水槽の２つの側板と底板と支柱とを組み付けた状態で示す斜視図である。
【図１０】図１０は、図９中のＹ−Ｙ線断面図である。
【図１１】図１１は、図９中のＺ−Ｚ線断面図である。
【発明を実施するための形態】
【００１９】
次に、本発明の一実施形態について図面を参照して以下に説明する。
【００２０】
本実施形態の水槽１は、例えば観賞魚用水槽であり、図１〜５に示すように、底板２と、前後左右の４つの側板３と、４つの支柱４とから構成されている。
【００２１】
底板２は、合成樹脂製であり、平面視で横長の長方形状に形成されている。図５及び７に示すように、底板２の上面２ｆの前後の各長辺縁部には、横断面形状が上向きコ字状の溝条２ａがそれぞれ形成されており、底板２の上面２ｆの左右の各短辺縁部にも、横断面形状が上向きコ字状の溝条２ａがそれぞれ形成されている。
【００２２】
各溝条２ａの外側部２ｂ、つまり底板２の外周部は、図７に示すように、底板２の各コーナー部を除いて、底板２の上面２ｆよりも高い位置まで立ち上がって形成されている。
【００２３】
底板２の下面２ｇの中央部には、図３及び４に示すように、下方突出状の補強用接地リブ２ｃが格子状に一体形成されている。このリブ２ｃの下端が水槽設置面Ｓに当接することで、底板２が補強されるとともにこのリブ２ｃによって底板２が下方から水平に支持される。
【００２４】
底板２の下面２ｇの各コーナー部には、図６〜８に示すように、下方突出状の嵌合凸部２ｄが一体形成されている。この嵌合凸部２ｄの中央部は窪んでおり、詳述すると嵌合凸部２ｄは、底面視で概ねロ字状に形成されており、具体的には「ロ」の字における４つの角部のうち１つの角部で隣接する辺部同士が繋がっていないような形状に形成されている。嵌合凸部２ｄの突出量は約０．５〜１．５ｍｍである。
【００２５】
各側板３は、厚さ約３ｍｍの透明なガラス製又はアクリル製であり、本実施形態では無色透明なガラス製である。前後左右の４つの側板のうち前後の各側板３における横の長さと縦の長さの比は、ワイドテレビの画面の比率と同じく１６：９に設定されている。一方、左右の各側板３における横の長さと縦の長さの比は、そのような比率には設定されておらず、約１：１に設定されている。そして、前後の各側板３の下端部３ｂが底板２の各長辺縁部の溝条２ａ内に嵌め込まれており、左右の各側板３の下端部３ｂが底板２の各短辺縁部の溝条２ａ内に嵌め込まれている。
【００２６】
支柱４は、図５に示すように、底板２及び側板３とは別体に形成された合成樹脂製のものであり、底板２の各コーナー部に配置されており、互いに隣接する２つの側板３、３の両側端部３ａ、３ａを保持する柱部４ａと、底板２を下方から受ける受け面４ｈを有する台座部４ｇとが一体形成されたものである（図６参照）。柱部４ａは底板２に対して垂直に上方突出状に配置されている。
【００２７】
台座部４ｇは、柱部４ａの下端から下方向に延びて一体形成されており、その断面形状は方形状（詳述すると正方形状）である。台座部４ｇの下面は、支柱４の長さ方向に対して垂直（即ち水平）に形成されており、図４及び１０に示すように、水槽１を水槽設置面Ｓ上に設置した状態のもとで、台座部４ｇの下面が水槽設置面Ｓに面接触状態に当接している。
【００２８】
さらに、図６及び７に示すように、台座部４ｇの受け面４ｈは、支柱４の長さ方向に対して垂直（即ち水平）に形成されるとともに、受け面４ｈの中央部には、底板２の嵌合凸部２ｄに対応する上方に開口した断面四角形状の嵌合凹部４ｉが、受け面４ｈから台座部４ｇの下面まで下方向に貫通して形成されている。そして、図１０に示すように、この嵌合凹部４ｉ内に底板２の嵌合凸部２ｄが嵌合されるとともに、底板２の下面２ｇのコーナー部（詳述すると底板２の下面２ｇにおける嵌合凸部２ｄを包囲する周囲部）が受け面４ｈ上に面接触状態に受け面４ｈと当接して載置されている。このような状態で支柱４が水槽設置面Ｓに対して起立状に配置されている。
【００２９】
柱部４ａの周面における水槽内側に向いた部分には、図５〜７、１１に示すように、開き角度９０°の凹入部４ｂが台座部４ｇの受け面４ｈから柱部４ａの上端部まで延びて形成されるとともに、柱部４ａの断面形状が略Ｌ字状に形成されている。
【００３０】
さらに、図７に示すように、柱部４ａの凹入部４ｂの内面における受け面４ｈとの隣接部には、断面コ字状の嵌合溝部４ｊが形成されている。そして、図１０に示すように、この嵌合溝部４ｊ内に底板２のコーナー部の外側部２ｅが嵌合されている。
【００３１】
柱部４ａの凹入部４ｂは、仕切り部（４ｃ、４ｄ）を介して分かれた２つの縦溝部４ｅ、４ｅとなっている。仕切り部（４ｃ、４ｄ）は、柱部４ａの凹入部４ｂの内側角部に嵌合溝部４ｊの上端から柱部４ａの上端部まで延びて一体形成された、突出量が小さい小仕切り壁部４ｃと、該小仕切り壁部４ｃの上部及び下部にそれぞれ一体形成された、突出量が大きい仕切り用突片部４ｄとから構成されている（図４参照）。
【００３２】
図１１に示すように、２つの縦溝部４ｅ、４ｅのうち一方の縦溝部４ｅ内には、互いに隣接する２つの側板３、３のうち一方の側板３の側端部３ａが配置されて保持されるとともに、他方の縦溝部４ｅ内には、他方の側板３の側端部３ａが配置されて保持されている。この状態において、一方の側板３と他方の側板３との間の角度は直角になっている。
【００３３】
柱部４ａの周面における凹入部４ｂとは反対側に互いに直角をなして形成された２つの外側面４ｋ１、４ｋ２のうち一方の外側面４ｋ１は、互いに隣接する２つの側板３、３のうち一方の側板３の外側面３ｃ１と平行に配置されるとともに、他方の外側面４ｋ２は、他方の側板３の外側面３ｃ２と平行に配置されている。
【００３４】
柱部４ａの上端には、互いに隣接する２つの側板３、３の両側端部３ａ、３ａが上方へずれるのを阻止するずれ止め片部４ｍが一体形成されている。このずれ止め片部４ｍは、平面視方形状に形成されるとともに、両側端部３ａ、３ａ間の隙間の上端開口を上方から覆う状態にして両側端部３ａ、３ａの上方近傍に水平に配置されている。そして、両側端部３ａ、３ａがこのずれ止め片部４ｍに当接することで両側端部３ａ、３ａの上方へのずれが阻止されるものとなされており、さらに、両側端部３ａ、３ａ間の隙間の上端開口がこのずれ止め片部４ｍによって上方から覆われることで、両側端部３ａ、３ａ同士を接着する接着性シール剤（図示せず）のはみ出しが防止されて、水槽１の外観を向上させるものとなされている。
【００３５】
次に、上記水槽１の組立手順を以下に説明する。
【００３６】
まず、平坦で水平な天面を有する水槽組立作業用テーブル（図示せず）上で、底板２の下面２ｇの各コーナー部の嵌合凸部２ｄを、対応する支柱４の台座部４ｇの受け面４ｈの嵌合凹部４ｉに嵌合させるとともに、底板２の下面２ｇの各コーナー部を台座部４ｇの受け面４ｈ上に面接触状態に当接させて載置する。これにより、台座部４ｇの受け面４ｈが底板２の重量を受けて支柱４が安定してテーブル上で自立する。
【００３７】
次いで、底板２の前後の溝条２ａ、２ａ及び左右の溝条２ａ、２ａにそれぞれシリコーン樹脂等の接着性シール剤（図示せず）を塗布した後、各柱部４ａ、４ａ間に側板３を配置してその下端部３ｂを底板２の各溝条２ａ内を嵌め込み、更に、互いに隣接する２つの側板３、３の側端部３ａ、３ａのそれぞれを柱部４ａの凹入部４ｂの各縦溝部４ｅ、４ｅ内に配置すれば、各側板３が溝条２ａ及び縦溝部４ｅに仮保持される。
【００３８】
その後、全ての隣接する２つの側板３、３の両側端部３ａ、３ａ間の内隅部（この内隅部は両側端部３ａ、３ａ間の隙間を含む）に接着性シール剤を液密に塗布して充填することにより、水槽１の組立が完了する。
【００３９】
而して、上記水槽１は次のような利点がある。
【００４０】
支柱４は柱部４ａと台座部４ｇとが一体形成されたものであるから、柱部４ａが台座部４ｇに対してぐらつくことはないし、更に、嵌合凸部２ｄが嵌合凹部４ｉに嵌合されることにより、支柱４の底板２に対する前後左右方向の位置ずれを防止することができ、しかも、底板２の下面２ｇのコーナー部が台座部４ｇの受け面４ｈ上に当接して載置されることにより、台座部４ｇの受け面４ｈが底板２の重量を受けて支柱４が安定して自立するものとなる。したがって、側板３を溝条２ａ及び縦溝部４ｅに仮保持させる際、支柱４は安定して自立しているとともに、支柱４の柱部４ａが台座部４ｇに対してぐらつきを生じることがないし、支柱４が底板２に対して位置ずれを生じることもない。そのため、水槽１の組立を容易に行うことができる。
【００４１】
さらに、支柱４の柱部４ａの断面形状が略Ｌ字状に形成されるとともに、柱部４ａの２つの外側面４ｋ１、４ｋ２の一方及び他方がそれぞれ２つの側板３、３の外側面３ｃ１、３ｃ２の一方及び他方と平行に配置されているので、底板２が平面視方形状に形成されているいわゆる四角型水槽１についてスッキリした印象を看者に与えることができ、高い意匠性を有するものとなっている。
【００４２】
さらに、側板３を溝条２ａ及び縦溝部４ｅに仮保持させた状態では、ずれ止め片部４ｍによって２つの側板３、３の両側端部３ａ、３ａの上方へのずれが阻止されており、これにより、水槽１の組立を更に容易に行うことができる。しかも、このすれ止め片部４ｍは支柱４の柱部４ａの上端に一体形成されたものなので、水槽１の部品点数が増加せず、水槽１の組立工程数が増えることもない。
【００４３】
その上、両側端部３ａ、３ａ間の隙間の上端開口がこのずれ止め片部４ｍによって上方から覆われることで、両側端部３ａ、３ａ同士を接着する接着性シール剤のはみ出しが防止されているので、水槽１の外観を向上させることができる。
【００４４】
さらに、前後の各側板３、３における横の長さと縦の長さの比が１６：９に設定されているので、この側板３から水槽内部を鑑賞する場合、あたかもワイドテレビの画像を見ているような印象を看者に与えることができる。
【００４５】
以上で本発明の一実施形態を説明したが、本発明は上記実施形態に示したものであることに限定されるものではなく、様々に変更可能であることはいうまでもない。
【産業上の利用可能性】
【００４６】
本発明は、水生生物（例：熱帯魚）や水生植物の鑑賞や飼育などに使用される水槽に利用可能である。
【符号の説明】
【００４７】
１：水槽
２：底板
２ａ：溝条
２ｄ：嵌合凸部
２ｇ：下面
３：側板
３ａ：側端部
３ｃ１、３ｃ２：外側面
４：支柱
４ａ：柱部
４ｂ：凹入部
４ｇ：台座部
４ｈ：受け面
４ｉ：嵌合凹部
４ｋ１、４ｋ２：外側面
４ｍ：ずれ止め片部
Ｓ：水槽設置面
【図１】
2010213636.tif 000003
【図２】
2010213636.tif 000004
【図３】
2010213636.tif 000005
【図４】
2010213636.tif 000006
【図５】
2010213636.tif 000007
【図６】
2010213636.tif 000008
【図７】
2010213636.tif 000009
【図８】
2010213636.tif 000010
【図９】
2010213636.tif 000011
【図１０】
2010213636.tif 000012
【図１１】
2010213636.tif 000013